(57)【要約】【課題】薄型タイプのカードを汚れたり折損したりせずに重合状にコンパクトに収納しておくことができ、しかもカードの取り出しもワンタッチで容易に行えるようにする。【解決手段】二枚の板材（１ａ、１ｂ）それぞれ下端側がヒンジ部４を介して回動自在に連結し、左右両側には伸縮自在な蛇腹構造の側壁５を介して連結して成る蛇腹開閉構造によるストッカー本体１と、該ストッカー本体１の開放部２を拡開方向に常時付勢する付勢機構１０と、ストッカー本体１の開放部２を開閉する開閉機構３とを備える。【選択図】図１
2007222364.tif 000002
【特許請求の範囲】
【請求項１】
二枚の板材それぞれ下端側がヒンジ部を介して回動自在に連結され、左右両側には伸縮自在な蛇腹構造の側壁を介して連結されて成る蛇腹開閉構造によるストッカー本体と、ストッカー本体の開放部を開閉させる開閉機構とを備えた特徴とするカードストッカー。
【請求項２】
開閉機構は、ストッカー本体の開放部を拡開方向に常時付勢させる付勢機構を有し、該開放部を付勢機構の付勢力に抗して閉塞し固定させるようスライド突起を抜け孔に通じる係止孔にスライドさせるスライド式開閉機構からなる請求項１記載のカードストッカー。
【請求項３】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えた請求項１または２記載のカードストッカー。
【請求項４】
ストッカー本体には、ネックストラップを着脱自在に取り付け可能とする吊下げ孔部を備えた請求項１乃至３のいずれか記載のカードストッカー。
【発明の詳細な説明】
【技術分野】
【０００１】
本発明は、例えば遊戯カード、クレジットカード、テレホンカード等のような薄型タイプのカードを収納して携帯可能としたカードストッカーに関する。
【背景技術】
【０００２】
近年、例えば１００円コインをカード販売機に入れて遊戯用カードを購入し、複数枚の遊戯用カードの中から所望のカードを選択してこのバーコードをスキャンさせることでコンピュータに読み取らせ、該コンピュータを相手に対戦するか、あるいは友達の所有している遊戯用カードとで直接勝負するというような子供の遊戯ゲームが流行している。
【０００３】
このように遊戯ゲームを行なう際には、裸の状態でポケットや財布等に収納しておいた遊戯カードを一枚一枚取り出すことによってカード販売機に投入してゲームを行なうのであった。
【０００４】
また、遊戯カードのみならず一般のクレジットカード、テレホンカード等のような薄型タイプのカードであっても裸の状態でポケットや財布等に収納していた。
【特許文献１】特に無し
【発明の開示】
【発明が解決しようとする課題】
【０００５】
しかしながら、従来ではこれらのカードを裸の状態でポケットや財布等に収納していたためカード自体が汚れたり折損したりする虞があった。また、複数のカードをポケット内に重合状に収納していた場合には、当該カードが紛失したりする虞れがあり非常に不便であった。
【０００６】
そこで、本発明は、叙上のような従来存した諸事情に鑑み創出されたもので、遊戯カードや一般のクレジットカード、テレホンカード等のような薄型タイプのカードを汚れたり折損したりせずに重合状にコンパクトに収納しておくことができ、しかもカードの取り出しもワンタッチで容易に行える携帯性の向上したカードケースとすることができるカードストッカーを提供することを目的とする。
【課題を解決するための手段】
【０００７】
上述した課題を解決するため、本発明にあっては、二枚の板材それぞれ下端側がヒンジ部を介して回動自在に連結され、左右両側には伸縮自在な蛇腹構造の側壁を介して連結されて成る蛇腹開閉構造によるストッカー本体と、ストッカー本体の開放部を開閉させる開閉機構とを備えたものである。
【０００８】
開閉機構は、ストッカー本体の開放部を拡開方向に常時付勢させる付勢機構を有し、該開放部を付勢機構の付勢力に抗して閉塞し固定させるようスライド突起を抜け孔に通じる係止孔にスライドさせるスライド式開閉機構からなるものとすることができる。
【０００９】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えたものとすることができる。
【００１０】
ストッカー本体には、ネックストラップを着脱自在に取り付け可能とする吊下げ孔部を備えたものとすることができる。
【発明の効果】
【００１１】
本発明によれば、遊戯カードもしくは一般のクレジットカードやテレホンカード等のような薄型タイプのカードを汚れたり折損したりせずに重合状にコンパクトに収納しておくことができ、しかもカードの取り出しもワンタッチで容易に行える携帯性の向上したカードケースとすることができる。
【００１２】
すなわち、これは本発明が、二枚の板材それぞれ下端側がヒンジ部を介して回動自在に連結され、左右両側には伸縮自在な蛇腹構造の側壁を介して連結されて成る蛇腹開閉構造によるストッカー本体と、ストッカー本体の開放部を開閉させる開閉機構とを備えたからであり、これにより、遊戯カードもしくは一般のクレジットカードやテレホンカード等のような薄型タイプのカードを汚れたり折損したりせずに重合状にコンパクトに収納しておくことができる。
【００１３】
開閉機構は、ストッカー本体の開放部を拡開方向に常時付勢させる付勢機構を有し、該開放部を付勢機構の付勢力に抗して閉塞し固定させるようスライド突起を抜け孔に通じる係止孔にスライドさせるスライド式開閉機構によるものとしたので、ストッカー本体内に重合状にカードが収納され、スライド式開閉機構によって開放部が閉塞固定された状態において、該ストッカー本体の二枚の板材によって当該カードが挟持された状態でしっかりと保持されたものとなり、カードを汚れたり折損したりせずにコンパクトに収納しておくことができる。しかも、スライド式開閉機構を開状態にすれば、付勢機構によって自動的に開放部が自動的に開放されるためカードの取り出しもワンタッチで容易に行える。
【００１４】
また、ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えたので、カードストッカーに対し好みに応じたキャラクターや用途に合わせたデザインを容易に付与することができ、カードストッカーとしての見栄えが良くなる。また、購入した好みの遊戯用カードをジャケットに収納することで外観上の面白味を付与することができ、且つ購入した遊戯用カードを紛失させることもなくなる。
【００１５】
さらに、ストッカー本体には、ネックストラップを着脱自在に取り付け可能とする吊下げ孔部を備えたので、ネックストラップを首に吊り下げておくことでカードストッカーを紛失させる虞れが無くなり、しかも従来の携帯電話のようにカードストッカーを首に吊り下げたままでワンタッチで簡単にカードを取り出すことができる。
【発明を実施するための最良の形態】
【００１６】
以下、図面を参照して本発明を実施するための最良の一形態を説明する。
図において示される符号１は、横幅員が５３．９ｃｍ、縦幅員が８５．５ｃｍという一般的な標準カードサイズよりも若干大きめサイズに形成された薄型タイプのストッカー本体である。
【００１７】
すなわち、図１に示すように、ストッカー本体１は、カードＰを出し入れ可能とするよ開放部２を蛇腹開閉式とし、且つ開放部２を開閉させる開閉機構としてスライド式開閉機構３を備え、ストッカー本体１内にカードＰを収納してからスライド式開閉機構３によって開放部２を閉塞固定してから一般的な手帳やクレジットカード等のようにポケット等内に入れて持ち運ぶものである。
【００１８】
また、図１または図２に示すように、ストッカー本体１の表面側に、例えばドラゴンボールＺ、デジモンセイバーズ、セガトイズ関連キャラクター（登録商標）等や用途に合わせたデザインさらにはネーム等を施して成る例えばアクリル製薄板等によって形成された着せ替え可能なジャケットＪが、リベットＲによって着脱可能となるように取り付けられている。
【００１９】
尚、このジャケットＪには、一般のクレジットカードやテレホンカード等のような薄型タイプのカード、ゲームに使用される遊戯用カード（図示せず）等を収納可能とした透視可能なカード収納部を有していても良い。また、ストッカー本体１の上端側面に、首に吊り下げ可能なネックストラップ１１を着脱自在に取り付けるための吊下げ孔部１２を備えていても良い。
【００２０】
ストッカー本体１の具体的な構成としては、図１（ｂ）および図２に示すように、当該ストッカー本体１は、例えば硬質な合成樹脂部材等による裏板１ａ、表板１ｂそれぞれの下端側がヒンジ部４を介して回動自在に連結され、裏板１ａ、表板１ｂそれぞれの左右両側には、プラスチック部材、皮革部材等による伸縮自在な蛇腹構造の側壁５を介して連結されている。このとき、裏板１ａの幅員は、表板１ｂの幅員よりも若干広目にしてあり、収納されるカードＰと共に表板１ｂに対する保持基板を成すものとしてある。尚、図中１３は裏板１ａと表板１ｂ間の底部に設けたカード受けを示す。
【００２１】
そして、図２に示すように、このヒンジ部４の両側には、弦巻バネ６をそれぞれ巻装させて成る付勢機構１０が設けてあり、これにより、裏板１ａと表板１ｂとが常時拡開された状態で上側にカードＰを出し入れ可能とする開放部２が形成されるようにしてある。この付勢機構１０の他の構成として、例えば板バネ（図示せず）などを用いても良い。
【００２２】
また、スライド式開閉機構３は、図３に示すように、開放部２における裏板１ａの内面側に、横長開口状のガイド溝部８ａを有するレール筐体８が付設され、このガイド溝部８ａ内に、スライド突起３ａの一端に形成された幅広な脚部３ｂが横方向へスライド自在に遊嵌されている。
【００２３】
一方、レール筐体８に対向して、開放部２における表板１ｂ側には、レール筐体８のガイド溝部８ａに対応した横長の係止孔９が穿設され、該係止孔９の一端側には、スライド突起３ａを挿入させるための円形状の抜け孔９ａが穿設されている。
【００２４】
図４は、本発明を実施するための前記とは異なる形態を説明するものである。ただし、前記した実施の形態と同構成部分には同じ符号を附することでその説明は省略する。
【００２５】
すなわち、カード受け１３は、弾力性を有する金属あるいはプラスチック製の薄板を略Ｕ字形に折り曲げることによって形成されている。そして、このカード受け１３両端１３ａを裏板１ａと表板１ｂの下方内面にそれぞれ貼着することにより、開放部２を開放させた時に裏板１ａと表板１ｂとが常に所定の角度で拡開、保持されるものとなっている。
【００２６】
次に、本構成による使用方法について説明する。
すなわち、ストッカー本体１の使用に際し、スライド式開閉機構３におけるスライド突起３ａを手指で押え、係止孔９に沿って抜け孔９ａ位置までスライドさせると、当該スライド突起３ａは抜け孔９ａから外れ、付勢手段である弦巻バネ６による互いの拡開方向への付勢力によって裏板１ａ、表板１ｂの開放部２が開放される。
【００２７】
そして、ストッカー本体１内の蛇腹部にそれぞれカードＰを収納してから開放部２を閉じる。このとき、スライド式開閉機構３におけるスライド突起３ａは抜け孔９ａに挿通され、このスライド突起３ａを手指で押え、係止孔９に沿って抜け孔９ａとは反対位置にスライドさせることによって開放部２は閉じた状態に固定される。ストッカー本体１内に収納された複数枚のカードＰは全てその下端がカード受け１３によって所定の位置に保持され、カード上端が不揃いとならないようになっている。こうして、ストッカー本体１をネックストラップ１１によって首に吊り下げたり、あるいは手帳のようにポケット等内に入れて持ち運ぶことができる。
【００２８】
尚、スライド式開閉機構３の替わりに、通常のガマグチのように開放部２の開閉機構をパッチン玉止め構造によって形成したり、異極のマグネットシートを使った磁気吸引力による吸着開閉機構によって形成しても良い。
【図面の簡単な説明】
【００２９】
【図１】本発明を実施するための最良の形態におけるカードストッカーの一例を示し、（ａ）はストッカー本体の開放部を閉じた状態の斜視図、（ｂ）はストッカー本体の開放部を開いてカードを取り出す状態の一部切欠斜視図である。
【図２】同じくストッカー本体の開放部を開いた状態の一部切欠側面図である。
【図３】同じく開放部におけるスライド式開閉機構の一例を示す一部切欠斜視図である。
【図４】本発明を実施するための他の形態におけるカードストッカーを示し、（ａ）は正面図、（ｂ）はそのＡ−Ａ矢視断面図、（ｃ）はストッカー本体の開放部を開いた状態の断面図である。
【符号の説明】
【００３０】
Ｐ      カード
１      ストッカー本体
１ａ    裏板
１ｂ    表板
２      開放部
３      スライド式開閉機構
３ａ    スライド突起
３ｂ    脚部
４      ヒンジ部
５      側壁
６      弦巻バネ
８      レール筐体
８ａ    ガイド溝部
９      係止孔
９ａ    抜け孔
１０    付勢機構
１１    ネックストラップ
１２    吊下げ孔部
１３    カード受け
１３ａ  カード受け両端
【図１】
2007222364.tif 000003
【図２】
2007222364.tif 000004
【図３】
2007222364.tif 000005
【図４】
2007222364.tif 000006